(57)【要約】  本願は、空気調和機の外表面の吸込み部分を覆う空気清浄媒体であって、通気性素材を含み、空気中の不純物を捕捉する通気部と、吸込み部分に通気部を固定する固定部と、を備え、通気部は、吸込み部分へ吸込まれる空気が通過する孔を有する、空気清浄媒体である。
2020044489.tif 000002
【特許請求の範囲】
【請求項１】
空気調和機の外表面の吸込み部分を覆う空気清浄媒体であって、
通気性素材を含み、空気中の不純物を捕捉する通気部と、
前記吸込み部分に前記通気部を固定する固定部と、を備え、
前記通気部は、前記吸込み部分へ吸込まれる空気が通過する孔を有する、
空気清浄媒体。
【請求項２】
空気中に存在する物質と化学反応し、ラジカルを生成させる物質を含み、前記通気性素材にコーティングされるラジカル生成部をさらに備える、
請求項１に記載の空気清浄媒体。
【請求項３】
前記通気性素材の密度よりも低く、気散性の物質を含む第２の通気性素材を更に備え、
前記孔は、前記第２の通気性素材により覆われる、
請求項１又は２に記載の空気清浄媒体。
【請求項４】
前記気散性の物質は、芳香性又は消臭性のうち、少なくとも１つの性質を有する、
請求項３に記載の空気清浄媒体。
【請求項５】
前記通気性素材の開孔率は、３０％以上である、
請求項１から４のうち何れか１項に記載の空気清浄媒体。
【請求項６】
前記空気調和機は、前記外表面の中央部分に設けられる前記吸込み部分と、前記吸込み部分の周囲に設けられる吹出し部分と、を有し、
前記孔は、前記通気部の中央部分に設けられる、
請求項１から５のうち何れか１項に記載の空気清浄媒体。
【発明の詳細な説明】
【技術分野】
【０００１】
本願は、空気清浄媒体を開示する。
【背景技術】
【０００２】
空気調和機に吸い込まれる空気を清浄するために空気調和機の吸込み口にフィルタを取り付けることが行われている（例えば特許文献１）。
【先行技術文献】
【特許文献】
【０００３】
【特許文献１】特開２００１−２７４３９号公報
【発明の概要】
【発明が解決しようとする課題】
【０００４】
空気調和機に吸い込まれる空気を清浄するために空気調和機の吸込み口にフィルタを取り付ける場合、空気調和機に吸込まれる空気量は低下することが考えられる。よって、空気調和機の吹出し空気量は低下する虞がある。すなわち、空調対象空間に所望の空気量を吹出すことができない虞がある。また、空気調和機が所望の空気量を吸込むために更なるエネルギーを必要とし、省エネルギー化が実現されない虞が考えられる。【０００５】
そこで、本願は、空気調和機へ吸い込まれる空気を清浄しつつ、空気調和機へ吸い込まれる空気量の低下を抑制する技術を開示する。
【課題を解決するための手段】
【０００６】
上記課題を解決するため、本発明では、孔が設けられた空気清浄媒体で空気調和機の吸込み口を覆うこととした。【０００７】
詳細には、本発明は、空気調和機の外表面の吸込み部分を覆う空気清浄媒体であって、通気性素材を含み、空気中の不純物を捕捉する通気部と、吸込み部分に通気部を固定する固定部と、を備え、通気部は、吸込み部分へ吸込まれる空気が通過する孔を有する、空気清浄媒体である。【０００８】
このような空気清浄媒体は、空気調和機の吸込み部分へ吸込まれる空気に含まれる不純物を捕捉する。よって、空気調和機の吸込み部分へ吸込まれる空気は清浄される。また、通気部に孔が設けられているため、空気調和機に吸い込まれる空気量の低下は抑制される。よって、空調対象空間に所望の空気量を吹出すことができる。また、空気調和機が吸込み空気を吸込むためのエネルギーは節減される。【０００９】
また、空気清浄媒体は、空気中に存在する物質と化学反応し、ラジカルを生成させる物質を含み、通気性素材にコーティングされるラジカル生成部をさらに備えてもよい。【００１０】
このような空気清浄媒体であれば、ラジカル生成部が通気性素材にコーティングされているため、通気性素材を通過する空気、あるいは通気部に設けられた孔を通過し、空気調和機の吸込み部分へ吸込まれる空気に含まれる病原菌やウイルスといった不純物は無害化される。すなわち、このような空気清浄媒体であれば、空気調和機へ吸い込まれる空気は清浄されつつ、空気調和機へ吸い込まれる空気量の低下は抑制される。【００１１】
また、空気清浄媒体は、通気性素材の密度よりも低く、気散性の物質を含む第２の通気性素材を更に備え、孔は、第２の通気性素材により覆われてもよい。【００１２】
このような空気清浄媒体であれば、孔は覆われるため、孔を通過する空気中に存在する不純物は捕捉される。また、孔を覆う第２の通気性素材は、通気性素材よりも密度が低いため、通気性の低下は抑制される。すなわち、空気調和機へ吸い込まれる空気は清浄されつつ、空気調和機へ吸い込まれる空気量の低下は抑制される。【００１３】
また、第２の通気性素材に含まれる気散性の物質は、吸込み部分から空気調和機へ吸込まれ、空調対象空間へ吹き出される。よって、気散性の物質が芳香性又は消臭性を有する物質の場合、吹出し空気は、不純物が無害化され、芳香性又は消臭性を有する空気である。つまり空調対象空間は、衛生的となり、空調対象空間にいる人間の心理、精神に良い影響が及ぼされる。【００１４】
また、気散性の物質は、芳香性又は消臭性のうち、少なくとも１つの性質を有してもよい。【００１５】
気散性の物質は、吸込み部分から空気調和機へ吸込まれ、空調対象空間へ吹き出される。よって、吹出し空気は、不純物が無害化され、芳香性又は消臭性のうち、少なくとも１つの性質を有する空気である。つまり空調対象空間は、衛生的となり、空調対象空間にいる人間の心理、精神に良い影響が及ぼされる。【００１６】
また、通気性素材の開孔率は、３０％以上であってもよい。このような空気清浄媒体であれば、通気性の低下は抑制される。よって、空気調和機へ吸い込まれる空気は清浄されつつ、空気調和機へ吸い込まれる空気量の低下は抑制される。【００１７】
また、空気調和機は、外表面の中央部分に設けられる吸込み部分と、吸込み部分の周囲に設けられる吹出し部分と、を有し、孔は、通気部の中央部分に設けられてもよい。【００１８】
このような空気清浄媒体であれば、吹出し部分と孔とは離れている。よって、吹出し部分から吹き出された空気が空調対象空間へ拡散せず、孔を介して再度空気調和機へ吸込まれることは抑制される。すなわち、空調対象空間へ清浄された空気が拡散される。
【発明の効果】
【００１９】
上記の空気清浄媒体は、空気調和機へ吸い込まれる空気を清浄しつつ、空気調和機へ吸い込まれる空気量の低下を抑制する。
【図面の簡単な説明】
【００２０】
【図１】図１は、本実施形態に係る空気清浄媒体の概要図である。
【図２】図２は、吸込み面の概要図を示している。
【図３】図３は、空気清浄媒体を空気調和機の吸込み口に取付けた際の概要図である。
【図４】図４は、空気調和機の電源を入れた際の気流の流れを示した図である。
【図５】図５は、空気清浄媒体によって空気調和機へ吸込まれる空気が清浄される様子を説明した断面図である。
【図６】図６は、空気清浄媒体の吸込み面が不純物の蓄積により変色した例を示している。
【図７】図７は、空気清浄媒体の概要の一例を示している。
【発明を実施するための形態】
【００２１】
以下、本発明の実施形態について説明する。以下に示す実施形態は、本発明の一形態であり、本発明の技術的範囲を下記の実施形態に限定するものではない。
【００２２】
図１は、本発明に係る空気清浄媒体の概要図である。空気清浄媒体１は、通気性素材である不織布２を備える。不織布２は、例えばポリエステルから形成される。また、不織布２の外形の一辺の長さは、例えば５７ｃｍである。また、不織布２には、例えばラジカル生成部の一態様である空気触媒がコーティングされている。空気触媒は、例えばニチリンケミカル社製品のセルフィーユ（登録商標）が挙げられる。セルフィーユは、http://www.nichirin-chemical.co.jp/に記載されているように、空気中に存在する水や酸素と化学反応し、ラジカルを生成する。また、不織布２の色は、不純物が付着して蓄積した際に、不純物の付着を認識できるように、不純物の色とは異なる色であることが望ましい。また、不織布２には、例えばヒノキの幹から抽出される天然抗菌成分であるヒノキチオールが含まれている。
【００２３】
また、不織布２は、空気調和機７へ取り付けられる側の取付け面３に、空気調和機７と粘着する粘着部分４を備える。粘着部分４は、取付け面３の外周に沿って設けられる。また、粘着部分４は、取付け面３の外周に沿った部分以外にも、取付け面３の面内に設けられる。ここで、粘着部分４は、本発明の「固定部」の一例である。
【００２４】
不織布２の取付け面３とは反対側の、空気が吸込まれる吸込み面５には、不純物が付着しない防汚部分６を備える。図２は、吸込み面５の概要図を示している。防汚部分６は、例えば複数の直線が交差した模様である。
【００２５】
また、不織布２は、孔２０を備える。孔２０の開孔面積の総和は、例えば１００ｃｍ２である。すなわち、不織布２の開孔率は、約３０％である。また、孔２０は、不織布２の中央部分に４つ設けられる。孔２０の形状は何でもよい。また、孔２０の個数は何個でもよい。また、孔２０が設けられる位置は、どこでもよく、不織布２の端部分に設けられてもよい。また、不織布の大きさや孔の寸法は、上記の数値に限定されない。
【００２６】
図３は、空気清浄媒体１を、例えば天井埋め込み型の空気調和機７の吸込み口８に取付けた際の概要図である。空気調和機７は、中央部分に吸込み口８を備える。また、空気調和機７は、吸込み口８の周囲に吹出し口１０を備える。ここで、吸込み口８は、本発明の「吸込み部分」の一例である。また、吹出し口１０は、本発明の「吹出し部分」の一例である。空気清浄媒体１は、吸込み口８を覆うように空気調和機７の外表面に取付けられる。この際、空気清浄媒体１の取付け面３の外周に沿って設けられた粘着部分４は、吸込み口８の外周に粘着される。ここで、空気清浄媒体１は、吸込み口８の大きさに合わせて適当な大きさに切られてもよい。
【００２７】
図４は、空気調和機７の電源を入れた際の気流の流れを示した図である。空気調和機７の電源を入れると、空調対象空間９から空気調和機７の吸込み口８に貼り付けられた空気清浄媒体１の吸込み面５へ向かって、気流が発生し、空気調和機７の内部へ空気が吸込まれる。ここで、不織布２の中央部分には、孔２０が設けられているため、空気調和機７の内部への通気性の低下は抑制される。
【００２８】
また、空気調和機７へ吸込まれる空気には、例えば、埃、塵、煙草の脂、花粉、細菌、ウイルス、ハウスダストといった不純物が含まれる。これら不純物のうち、埃、塵、花粉、煙草の脂、ハウスダストといった比較的粒径が大きい不純物は、空気清浄媒体１の不織布２によって捕捉される。
【００２９】
しかしながら、細菌やウイルスのように粒径が小さい不純物は、不織布２によって捕捉されず、不織布２内の隙間を通過し、空気調和機７の中へ吸込まれる場合がある。また、細菌やウイルスのように粒径が小さい不純物は、孔２０を通過して空気調和機７の中へ吸い込まれる場合がある。本実施形態の空気清浄媒体１であれば、上記のような細菌やウイルスが不織布２によって捕捉されない場合においても、細菌やウイルスは、不織布２にコーティングされた空気触媒によって生成されるラジカルによって酸化され、その機能は失われる。図５は、空気清浄媒体１によって、空気調和機７へ吸込まれる空気が清浄される様子を説明した断面図である。
【００３０】
＜作用・効果＞
上記のような空気清浄媒体１であれば、不織布２に孔２０が設けられている。また、不織布２の開孔率は約３０％である。よって、空気調和機７へ吸込まれる空気量の低下は抑制される。よって、空調対象空間に所望の空気量を吹出すことができる。また、空気調和機７が吸込み空気を吸込むためのエネルギーは節減される。
【００３１】
また、空気触媒が不織布２にコーティングされているため、不織布２を通過する、あるいは孔２０を通過する空気中に含まれる病原菌やウイルスといった不純物は無害化される。また、不織布２によって、病原菌やウイルスよりも大きい不純物は捕捉される。すなわち、このような空気清浄媒体１であれば、空気調和機７へ吸い込まれる空気は清浄されるとともに、空気調和機７へ吸込まれる空気量の低下は抑制される。
【００３２】
また、このような空気清浄媒体であれば、吹出し口１０と孔２０とは離れている。よって、吹出し口１０から吹き出された空気が空調対象空間９へ拡散せず、孔２０を介して再度空気調和機７へ吸込まれることは抑制される。よって、清浄された空気は、空調対象空間へ拡散される。
【００３３】
また、上記のような空気清浄媒体１であれば、空気調和機７の内部のフィンに衛生機能を有する物質を加工するのではなく、空気清浄媒体１を空気調和機７の吸込み口８へ貼り付けるだけで、空調対象空間９へ衛生的な空気を供給することができる。よって、衛生機能を有する物質を空気調和機７へ加工する費用を低減することができる。
【００３４】
また、上記のような空気清浄媒体１であれば、空気調和機７を開け、空気調和機７の内部を定期的に清掃する手間を省くことができる。また、空気清浄媒体１は、空気調和機７の外表面に粘着されることによって取り付けられる。よって、空気清浄媒体１は、空気調和機７への設置や交換の手間を要さずに済む。
【００３５】
また、不織布２は、例えば煙草、汗、し尿の成分であるアンモニア、卵等が腐った際に発生する硫化水素、玉葱等が腐った際に発生するメチルメルカプタン、建築材料の合板や壁紙、床、家具の接着剤等に用いられるホルムアルデヒド、といった臭気性の不純物も捕捉する、あるいは、その機能を失わせることができてもよい。このような空気清浄媒体１であれば、空気調和機７の内部及び空調対象空間９の消臭も実現される。
【００３６】
また、不織布２には、天然由来の成分である、例えばヒノキチオールがコーティングされている。ヒノキチオールは、例えば殺菌機能や抗菌機能といった衛生機能を有する。よって、このような空気清浄媒体１であれば、空気調和機７の吸込み口８へ空気清浄媒体１を取り付ける際、空気清浄媒体１を指でつまむ必要があるが、この際に手の皮膚細胞が壊される虞は低い。
【００３７】
また、上記のように、空調対象空間９の空気を清浄していると、不織布２には、捕捉された不純物が溜まっていき、空気清浄媒体１の吸込み面５の外観は変色する。図６は、空気清浄媒体１の吸込み面５が不純物の蓄積により変色した例を示している。吸込み面５が不純物の蓄積により変色した場合、吸込み面５の不純物が捕捉された部分と、不純物が付着しない防汚部分６とは、明らかに外観が異なることとなる。
【００３８】
上記のような場合には、不織布２に不純物が蓄積され、通気性が低下しているため、空気調和機７へ吸込まれる空気量は大幅に低下する。よって、空気調和機７の吹出し口１０から吹出される空気量も大幅に低下する。また、空気調和機７から吹出される空気量の低下を防止するために、吹出し動力を上げなければならず、空気調和機７の運転に要する費用が嵩む。
【００３９】
また、このように不純物が蓄積し、吸込み面５と防汚部分６との外観が異なる程に空気の清浄を行うと、不織布２にコーティングされた空気触媒やヒノキチオールの量は減っており、空気触媒やヒノキチオールの効果が低減している。よって、図６のように吸込み面５の外観が、防汚部分６の外観と比較して明らかに異なる場合には、空気清浄媒体１を交換する必要がある。換言すれば、上記のような防汚部分６を備える空気清浄媒体１であれば、交換の頃合を容易に把握することができる。
【００４０】
また、空気清浄媒体１は、空気調和機７に吸込まれる空気の気流によって、自然に空気調和機７の筐体方向へ張り付く。よって、空気調和機７が運転している際に、空気調和機７から空気清浄媒体１が剥がれ落ちる可能性は低い。
【００４１】
また、不織布２には、例えば人間をリラックスさせる効果や集中力を増す効果を有する香料が含まれていてもよい。このような空気清浄媒体１であれば、空気調和機７の吹出し口１０から上記の香料が混ざった空気が吹出され、空調対象空間９にいる人間が上記の香料の混ざった空気を吸込む。よって、香料の混ざった空気を吸込んだ人間の心理や精神に良い影響を与えることができる。
【００４２】
＜変形例＞
図７は、空気清浄媒体１Ａの概要の一例を示している。空気清浄媒体１Ａは、孔２０を覆うように不織布２１を備える。ただし、不織布２１の密度は、不織布２の密度よりも低い。ここで、不織布２１は、本発明の「第２の通気性素材」の一例である。
【００４３】
また、不織布２１には、例えばトドマツの粉体２２がコーティングされる。ここで、トドマツの粉体２２は、本発明の「気散性の物質」の一例である。トドマツの粉体２２は、例えばhttp://www.kaoriken.com/business/feature.html等に記載されているように、粉体中に含まれるβ−フェランドレンが消臭性及び芳香性を有する。また、トドマツの粉体２２は、粉体中に含まれる物質が大気汚染物質の無害化などの効果を有する。
【００４４】
上記のような空気清浄媒体１Ａは、孔２０が不織布２１によって覆われるため、不織布２１を通過する空気に含まれる不純物は捕捉される。また、病原菌やウイルスといった不純物が不織布２１を通過する場合、不織布２にコーティングされる空気触媒によって病原菌やウイルスといった不純物は無害化される。すなわち、空気調和機７へ吸い込まれる空気は清浄される。
【００４５】
また、孔２０を覆う不織布２１の密度は、不織布２の密度よりも密度が低い。よって、空気清浄媒体１Ａの通気性の低下は抑制される。すなわち、このような空気清浄媒体１Ａであれば、空気調和機７へ吸い込まれる空気は清浄されるとともに、空気調和機７へ吸込まれる空気量の低下は抑制される。
【００４６】
また、トドマツの粉体２２は、消臭芳香性を有する。よって、吸込み口８から空気調和機７へ吸込まれ、空調対象空間へ吹出される吹出し空気は、清浄されていることに加えて芳香消臭性を有する。つまり空調対象空間は、衛生的であり、空調対象空間にいる人間の心理や精神に良い影響を与えることができる。
【００４７】
また、空気清浄媒体１の形状はひし形でも正方形でも台形でもなんでもよい。また、空気触媒は、不織布２の全面にわたってコーティングされていても、一部分にのみ加えられていてもよい。また、空気触媒は不織布２にコーティングされていなくてもよい。
【００４８】
また、上記の実施形態では、空気触媒が不織布２にコーティングされる空気清浄媒体の一例を示したが、不織布２にコーティングされる物質は空気触媒に限られない。不織布２にコーティングされる物質は、例えば、トドマツ、ミネルパ（登録商標）といった物質を含んでもよい。
【００４９】
また、ヒノキチオールや香料は、不織布２の全面にわたって加えられていても、一部分に加えられていても、加えられていなくてもよい。
【００５０】
また、不織布２の素材は、何でもよく、例えば紙を含んでもよい。また、例えば市販のペットボトル容器から得られるポリエステルを不織布２の素材に再利用してもよい。また、不織布２の代わりに、埃や塵程度の大きさの不純物を捕捉し、空気触媒をコーティングできる通気性の材料を用いてもよい。また、空気調和機７の形状は何でもよい。また、空気調和機７の種類は、天井埋め込み型に限らず、天井吊り下げ型、壁掛け型、床置き型などであってもよい。
【００５１】
また、粘着部分４は、空気清浄媒体１の清浄機能が著しく低下せず、空気調和機７へ貼り付けることができる程度に取付け面３に設けられていてもよい。また、空気清浄媒体１は粘着部分４を備えず、空気調和機７へ固定される代替手段を備えてもよい。代替手段とは、例えば、空気調和機７にピンが設けられている場合、当該ピンと嵌合する孔などでもよい。また、防汚部分６は、複数の直線が交差した模様に限らず、空気清浄媒体１の使用後に、不純物を捕捉した部分と防汚部分６とが形成する模様が外部から視認でき、交換の頃合を容易に把握できるような形態であればよい。
【符号の説明】
【００５２】
１・・空気清浄媒体
２・・不織布
３・・取付け面
４・・粘着部分
５・・吸込み面
６・・防汚部分
７・・空気調和機
８・・吸込み口
９・・空調対象空間
１０・・吹出し口
２０・・孔
２１・・不織布
２２・・粉体
【図１】
2020044489.tif 000003
【図２】
2020044489.tif 000004
【図３】
2020044489.tif 000005
【図４】
2020044489.tif 000006
【図５】
2020044489.tif 000007
【図６】
2020044489.tif 000008
【図７】
2020044489.tif 000009
【国際調査報告】
2020044489.tif 000010
2020044489.tif 000011
2020044489.tif 000012
2020044489.tif 000013